(57)【要約】【課題】  祈願者が、遠方にある神社仏閣の御守りや御札を迅速に入手し、祈願を行うことができる祈願システム等を提供する。【解決手段】  祈願端末３０は、御守り１０に内蔵されるＩＣチップ２０から読み取った御守りＩＤ及び神社仏閣ＩＤと、祈願者の入力した祈願者情報及び祈願内容を祈願サーバ４０へ通知する。祈願サーバ４０は、受信した祈願者情報及び祈願内容を御守りＩＤ及び神社仏閣ＩＤに対応させて記憶手段に書き込むとともに、神社仏閣ＩＤで示される神社仏閣の神社仏閣サーバ５０へ通知する。神社仏閣は、神社仏閣サーバ５０が受信した祈願者情報及び祈願内容に応じた御祈祷を行う。【選択図】      図１
2005085097.tif 000002
【特許請求の範囲】
【請求項１】
御守りを購入した祈願者に関する情報である祈願者情報及び祈願内容を記憶する記憶手段と、
祈願者が購入した御守りに備えられた記憶手段から該御守りを識別する御守り識別情報及び該御守りの属する神社仏閣を識別する神社仏閣識別情報を読み取る読取手段と、
前記祈願者の入力した祈願者情報及び祈願内容を、前記読取手段が読み取った御守り識別情報及び神社仏閣識別情報に対応させて前記記憶手段に書き込むとともに、神社仏閣識別情報で示される神社仏閣に通知する祈願情報登録手段と、
を備えることを特徴とする祈願システム。
【請求項２】
御守りを購入した祈願者に関する情報である祈願者情報及び祈願内容を記憶する記憶手段と、
祈願者が購入した御守りに備えられた記憶手段から該御守りを識別する御守り識別情報を読み取る読取手段と、
祈願者の入力した祈願内容に応じた神社仏閣のリストを出力する神社仏閣情報取得手段と、
前記祈願者の入力した該祈願者に関する情報である祈願者情報及び前記祈願内容を、前記読取手段が読み取った御守り識別情報及び前記神社仏閣情報取得手段が出力した前記神社仏閣のリストの中から前記祈願者が選択した神社仏閣を識別する神社仏閣識別情報に対応させて前記記憶手段に書き込むとともに、選択された神社仏閣へ通知する祈願情報登録手段と、
を備えることを特徴とする祈願システム。
【請求項３】
前記神社仏閣識別情報で識別される神社仏閣が前記祈願内容に応じて行った宗教儀式の情報である祈祷情報を受け、御守り識別情報に対応させて前記記憶手段に書き込む祈祷情報登録手段と、
御守り識別情報を受信して祈祷情報の確認の要求を受け付け、該御守り識別情報に対応した祈祷情報を前記記憶手段から読み出して出力する祈祷情報取得手段と、
をさらに備えることを特徴とする請求項１または請求項２に記載の祈願システム。
【請求項４】
前記記憶手段は、さらに、神社仏閣のおみくじ情報を記憶し、
前記記憶手段を参照し、御守り識別情報に対応する神社仏閣識別情報で示される神社仏閣のおみくじ情報を選択するおみくじ情報選択手段と、
おみくじ情報選択手段が選択したおみくじ情報を配信する配信手段とをさらに備える、
ことを特徴とする請求項１から請求項３のいずれかの項に記載の祈願システム。
【請求項５】
前記記憶手段は、さらに、おみくじ情報に付加するアドバイス情報を記憶し、
アドバイス情報選択手段は、前記おみくじ情報選択手段が選択したおみくじ情報あるいは祈願者の所在に応じたアドバイス情報を選択し、
前記配信手段は、前記アドバイス情報選択手段が選択したアドバイス情報を前記おみくじ情報選択手段が選択したおみくじ情報に付加して配信する、
ことを特徴とする請求項４に記載の祈願システム。
【請求項６】
祈願者が入力した献納の金額を、該祈願者が購入した御守りの御守り識別情報に対応する神社仏閣識別情報で示される神社仏閣に通知する献納情報登録手段、
をさらに備えることを特徴とする請求項１から請求項５のいずれかの項に記載の祈願システム。
【請求項７】
受信した御守り識別情報に対応した祈願者情報あるいは祈願内容を前記記憶手段から読み出して出力する祈願情報取得手段、
をさらに備えることを特徴とする請求項１から請求項６のいずれかの項に記載の祈願システム。
【請求項８】
前記記憶手段は、さらに、神社仏閣に関する情報である神社仏閣情報を神社仏閣識別情報毎に記憶し、
前記神社仏閣情報取得手段は、前記祈願者が選択した神社仏閣の神社仏閣識別情報に対応した神社仏閣情報を前記記憶手段から読み出して出力する、
ことを特徴とする請求項１から請求項７のいずれかの項に記載の祈願システム。
【請求項９】
前記御守りに備えられた記憶手段は、ＩＣチップであることを特徴とする請求項１から請求項８のいずれかの項に記載の祈願システム。
【請求項１０】
前記御守りは、通常の御守りまたは御札、携帯電話のストラップ型、据付型、携帯型、あるいは、付属型であることを特徴とする請求項１から請求項９のいずれかの項に記載の祈願システム。
【請求項１１】
御守りを購入した祈願者の情報を管理する祈願サーバと、前記祈願サーバへ祈願者及び該祈願者が購入した御守りに関する情報を通知する祈願端末とをネットワークを介して接続してなる祈願システムであって、
前記祈願端末は、
祈願者が購入した御守りに備えられた記憶手段から該御守りを識別する御守り識別情報及び該御守りの属する神社仏閣を識別する神社仏閣識別情報を読み取る読取手段と、
前記祈願者の入力した該祈願者に関する情報である祈願者情報及び祈願内容を、前記読取手段が読み取った御守り識別情報及び神社仏閣識別情報とともに前記祈願サーバに通知する処理手段とを備え、
前記祈願サーバは、
祈願者情報及び祈願内容を記憶する記憶手段と、
祈願者情報及び祈願内容と、御守り識別情報及び神社仏閣識別情報とを前記祈願端末から受信し、該祈願者情報及び祈願内容を該御守り識別情報及び神社仏閣識別情報に対応させて前記記憶手段に書き込むとともに、神社仏閣識別情報で示される神社仏閣に通知する祈願情報登録手段とを備える、
ことを特徴とする祈願システム。
【請求項１２】
御守りを購入した祈願者の情報を管理する祈願サーバと、前記祈願サーバへ祈願者及び該祈願者が購入した御守りに関する情報を通知する祈願端末とをネットワークを介して接続してなる祈願システムであって、
前記祈願端末は、
祈願者が購入した御守りに備えられた記憶手段から該御守りを識別する御守り識別情報を読み取る読取手段と、
前記祈願者の入力した祈願内容及び前記読取手段が読み取った御守り識別情報を前記祈願サーバへ通知するとともに、前記祈願サーバから受信した該祈願内容に応じた神社仏閣のリストを出力し、該祈願者がこのリストの中から選択した神社仏閣の情報と、祈願者が入力した該祈願者に関する情報である祈願者情報とを前記祈願サーバへ通知する処理手段とを備え、
前記祈願サーバは、
祈願者情報及び祈願内容を記憶する記憶手段と、
前記祈願端末から御守り識別情報及び祈願内容を受信し、該祈願内容に応じた神社仏閣のリストを出力する神社仏閣情報取得手段と、
前記祈願端末から前記祈願者が選択した神社仏閣の情報及び祈願者情報を受信し、前記御守り識別情報及び選択された神社仏閣を識別する神社仏閣識別情報に対応させて前記祈願内容及び祈願者情報を前記記憶手段に書き込むとともに、選択された神社仏閣へ通知する祈願情報登録手段とを備える、
ことを特徴とする祈願システム。
【請求項１３】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願方法であって、
御守りを購入した祈願者に関する情報である祈願者情報及び祈願内容を記憶する記憶手段を用意し、
祈願者が購入した御守りに備えられた記憶手段から該御守りを識別する御守り識別情報及び該御守りの属する神社仏閣を識別する神社仏閣識別情報を読み取り、
前記祈願者の入力した祈願者情報及び祈願内容を、読み取った前記御守り識別情報及び神社仏閣識別情報に対応させて前記記憶手段に書き込むとともに、神社仏閣識別情報で示される神社仏閣に通知する、
ことを特徴とする祈願方法。
【請求項１４】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願方法であって、
御守りを購入した祈願者に関する情報である祈願者情報及び祈願内容を記憶する記憶手段を用意し、
祈願者が購入した御守りに備えられた記憶手段から該御守りを識別する御守り識別情報を読み取り、
祈願者の入力した祈願内容に応じた神社仏閣のリストを出力し、
前記祈願者の入力した該祈願者に関する情報である祈願者情報及び前記祈願内容を、前記御守り識別情報及び出力した前記リストの中から前記祈願者が選択した神社仏閣を識別する神社仏閣識別情報に対応させて前記記憶手段に書き込むとともに、選択された神社仏閣へ通知する、
ことを特徴とする祈願方法。
【請求項１５】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願サーバであって、
御守りを購入した祈願者に関する情報である祈願者情報及び祈願内容を記憶する記憶手段と、
前記祈願者の入力した祈願者情報及び祈願内容と、祈願者が購入した御守りに備えられた記憶手段から読み取った御守り識別情報及び神社仏閣識別情報とを前記祈願端末から受信し、該祈願者情報及び祈願内容を該御守り識別情報及び神社仏閣識別情報に対応させて前記記憶手段に書き込むとともに、神社仏閣識別情報で示される神社仏閣に通知する祈願情報登録手段と、
を備えることを特徴とする祈願サーバ。
【請求項１６】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願サーバであって、
御守りを購入した祈願者に関する情報である祈願者情報及び祈願内容を記憶する記憶手段と、
前記祈願端末から祈願者の入力した祈願内容及び祈願者が購入した御守りに備えられた記憶手段から読み取った御守り識別情報を受信し、該祈願内容に応じた神社仏閣のリストを出力する神社仏閣情報取得手段と、
前記祈願端末から前記祈願者が入力した祈願者情報及び前記リストの中から選択した神社仏閣の情報を受信し、前記御守り識別情報及び選択された神社仏閣を識別する神社仏閣識別情報に対応させて前記祈願内容及び祈願者情報を前記記憶手段に書き込むとともに、選択された神社仏閣へ通知する祈願情報登録手段と、
を備えることを特徴とする祈願サーバ。
【請求項１７】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願端末であって、
祈願者が購入した御守りに備えられた記憶手段から該御守りを識別する御守り識別情報及び該御守りの属する神社仏閣を識別する神社仏閣識別情報を読み取る読取手段と、
前記祈願者の入力した該祈願者に関する情報である祈願者情報及び祈願内容を、前記読取手段が読み取った御守り識別情報及び神社仏閣識別情報とともに前記祈願サーバに通知する処理手段と、
を備えることを特徴とする祈願端末。
【請求項１８】
御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願端末であって、
祈願者が購入した御守りに備えられた記憶手段から該御守りを識別する御守り識別情報を読み取る読取手段と、
前記祈願者の入力した祈願内容及び前記読取手段が読み取った御守り識別情報を前記祈願サーバへ通知するとともに、前記祈願サーバから受信した該祈願内容に応じた神社仏閣のリストを出力し、該祈願者がこのリストの中から選択した神社仏閣の情報と、祈願者が入力した該祈願者に関する情報である祈願者情報を前記祈願サーバへ通知する処理手段と、
を備えることを特徴とする祈願端末。
【発明の詳細な説明】
【技術分野】
【０００１】
本発明は、祈願システム及び方法、祈願サーバ、ならびに、祈願端末に関する。
【背景技術】
【０００２】
従来、祈願者は神社仏閣へ参拝し、家内安全、身体健全、厄災消除、方難消除、開運招福、交通安全、初宮詣、七五三詣、十三詣、社運隆昌、商売繁盛、事業繁栄、学業成就、病気平癒、旅行安全、大願成就、諸願成就、成人奉告、子授、安産、合格、必勝、良縁など目的別に祈祷、神札授与を行う。また、各神社では、目的別に御守りの販売を行っている。
【０００３】
一方、特許文献１には、神社や仏閣へ祈願に行けない人たちに、インターネットを利用し、祈願と御守り入手ができるようにする御守り提供システム等について開示されている。具体的には、寺社がそれぞれの特色ある御守りをＷＥＢサイトに登録しておく。そして、ユーザは、このＷＥＢサイトを閲覧して自分の目的や好みにあった御守りを選択し、祈願したいことや必要な入力をして御守り作成を申込む。ＷＥＢサイト運営者は、この申込みを神社へ通知し、神社から申込人へ御守りを送付する。
また、特許文献２には、インターネットを通じて希望の神社や寺院が手軽に参拝できるシステムについて開示されている。具体的には、インターネット上のホームページに全国の神社や寺院を紹介する一方、このホームページに参拝の順序に従ってそれぞれの場面を順番に表示する参拝ページをリンクする。そして、ホームページの閲覧者は、これらの神社や寺院を参拝する擬似体験ができ、おみくじやお守りを買う場面で購入を指示したときは、実際の品物を宅配する。
また、特許文献３には、自宅に居ながら参拝できるとともに、神社仏閣の各種サービスを享受することができる神社仏閣サービスシステムについて開示されている。具体的には、インターネット等を介して神社仏閣のコンピュータシステムへ参拝者の依頼事項を送信する。神社仏閣は、この依頼事項を各種帳票として出力し、この帳票に応じた宗教儀式を実行する。
【特許文献１】特開２００１−３５７１７３号公報
【特許文献２】特開２００２−１７５３７５号公報
【特許文献３】特開２００３−１５０７２８号公報
【発明の開示】
【発明が解決しようとする課題】
【０００４】
従来、目的の祈祷を行っている神社仏閣が遠方にある場合、時間的・距離的に参拝できず、目的の御守りを入手することは困難であった。そこで、ファクシミリや現金書留などによる御守りの注文を受け付ける神社仏閣などもあるが、注文してからすぐに入手することができなかった。また、インターネット販売も考えられているが、同様に注文を受けてから郵送により発送されるものであり、すぐに入手することはできなかった。
【０００５】
本発明はこのような事情を考慮してなされたものであり、その目的は、祈願者が、遠方にある神社仏閣の御守りや御札を迅速に入手し、祈願を行うことができる祈願システム及び方法、祈願サーバ、ならびに、祈願端末を提供することにある。
【課題を解決するための手段】
【０００６】
前記課題を解決するために、請求項１記載の発明は、御守りを購入した祈願者に関する情報である祈願者情報及び祈願内容を記憶する記憶手段と、祈願者が購入した御守りに備えられた記憶手段から該御守りを識別する御守り識別情報及び該御守りの属する神社仏閣を識別する神社仏閣識別情報を読み取る読取手段と、前記祈願者の入力した祈願者情報及び祈願内容を、前記読取手段が読み取った御守り識別情報及び神社仏閣識別情報に対応させて前記記憶手段に書き込むとともに、神社仏閣識別情報で示される神社仏閣に通知する祈願情報登録手段と、を備えることを特徴とする祈願システムである。
【０００７】
また、請求項２の発明は、御守りを購入した祈願者に関する情報である祈願者情報及び祈願内容を記憶する記憶手段と、祈願者が購入した御守りに備えられた記憶手段から該御守りを識別する御守り識別情報を読み取る読取手段と、祈願者の入力した祈願内容に応じた神社仏閣のリストを出力する神社仏閣情報取得手段と、前記祈願者の入力した該祈願者に関する情報である祈願者情報及び前記祈願内容を、前記読取手段が読み取った御守り識別情報及び前記神社仏閣情報取得手段が出力した前記神社仏閣のリストの中から前記祈願者が選択した神社仏閣を識別する神社仏閣識別情報に対応させて前記記憶手段に書き込むとともに、選択された神社仏閣へ通知する祈願情報登録手段と、を備えることを特徴とする祈願システムである。
【０００８】
また、請求項３の発明は、請求項１または請求項２に記載の祈願システムであって前記神社仏閣識別情報で識別される神社仏閣が前記祈願内容に応じて行った宗教儀式の情報である祈祷情報を受け、御守り識別情報に対応させて前記記憶手段に書き込む祈祷情報登録手段と、御守り識別情報を受信して祈祷情報の確認の要求を受け付け、該御守り識別情報に対応した祈祷情報を前記記憶手段から読み出して出力する祈祷情報取得手段と、をさらに備えることを特徴とする。
【０００９】
また、請求項４の発明は、請求項１から請求項３のいずれかの項に記載の祈願システムであって、前記記憶手段は、さらに、神社仏閣のおみくじ情報を記憶し、前記記憶手段を参照し、御守り識別情報に対応する神社仏閣識別情報で示される神社仏閣のおみくじ情報を選択するおみくじ情報選択手段と、おみくじ情報選択手段が選択したおみくじ情報を配信する配信手段とをさらに備える、ことを特徴とする。
【００１０】
また、請求項５の発明は、請求項４に記載の祈願システムであって、前記記憶手段は、さらに、おみくじ情報に付加するアドバイス情報を記憶し、アドバイス情報選択手段は、前記おみくじ情報選択手段が選択したおみくじ情報あるいは祈願者の所在に応じたアドバイス情報を選択し、前記配信手段は、前記アドバイス情報選択手段が選択したアドバイス情報を前記おみくじ情報選択手段が選択したおみくじ情報に付加して配信する、ことを特徴とする。
【００１１】
また、請求項６の発明は、請求項１から請求項５のいずれかの項に記載の祈願システムであって、祈願者が入力した献納の金額を、該祈願者が購入した御守りの御守り識別情報に対応する神社仏閣識別情報で示される神社仏閣に通知する献納情報登録手段、をさらに備えることを特徴とする。
【００１２】
また、請求項７の発明は、請求項１から請求項６のいずれかの項に記載の祈願システムであって、受信した御守り識別情報に対応した祈願者情報あるいは祈願内容を前記記憶手段から読み出して出力する祈願情報取得手段、をさらに備えることを特徴とする。
【００１３】
また、請求項８の発明は、請求項１から請求項７のいずれかの項に記載の祈願システムであって、前記記憶手段は、さらに、神社仏閣に関する情報である神社仏閣情報を神社仏閣識別情報毎に記憶し、前記神社仏閣情報取得手段は、前記祈願者が選択した神社仏閣の神社仏閣識別情報に対応した神社仏閣情報を前記記憶手段から読み出して出力する、ことを特徴とする。
【００１４】
また、請求項９の発明は、請求項１から請求項８のいずれかの項に記載の祈願システムであって、前記御守りに備えられた記憶手段は、ＩＣチップであることを特徴とする。
【００１５】
また、請求項１０の発明は、請求項１から請求項９のいずれかの項に記載の祈願システムであって、前記御守りは、通常の御守りまたは御札、携帯電話のストラップ型、据付型、携帯型、あるいは、付属型であることを特徴とする。
【００１６】
また、請求項１１の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムであって、前記祈願端末は、祈願者が購入した御守りに備えられた記憶手段から該御守りを識別する御守り識別情報及び該御守りの属する神社仏閣を識別する神社仏閣識別情報を読み取る読取手段と、前記祈願者の入力した該祈願者に関する情報である祈願者情報及び祈願内容を、前記読取手段が読み取った御守り識別情報及び神社仏閣識別情報とともに前記祈願サーバに通知する処理手段とを備え、前記祈願サーバは、祈願者情報及び祈願内容を記憶する記憶手段と、祈願者情報及び祈願内容と、御守り識別情報及び神社仏閣識別情報とを前記祈願端末から受信し、該祈願者情報及び祈願内容を該御守り識別情報及び神社仏閣識別情報に対応させて前記記憶手段に書き込むとともに、神社仏閣識別情報で示される神社仏閣に通知する祈願情報登録手段とを備える、ことを特徴とする祈願システムである。
【００１７】
また、請求項１２の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムであって、前記祈願端末は、祈願者が購入した御守りに備えられた記憶手段から該御守りを識別する御守り識別情報を読み取る読取手段と、前記祈願者の入力した祈願内容及び前記読取手段が読み取った御守り識別情報を前記祈願サーバへ通知するとともに、前記祈願サーバから受信した該祈願内容に応じた神社仏閣のリストを出力し、該祈願者がこのリストの中から選択した神社仏閣の情報と、祈願者が入力した該祈願者に関する情報である祈願者情報とを前記祈願サーバへ通知する処理手段とを備え、前記祈願サーバは、祈願者情報及び祈願内容を記憶する記憶手段と、前記祈願端末から御守り識別情報及び祈願内容を受信し、該祈願内容に応じた神社仏閣のリストを出力する神社仏閣情報取得手段と、前記祈願端末から前記祈願者が選択した神社仏閣の情報及び祈願者情報を受信し、前記御守り識別情報及び選択された神社仏閣を識別する神社仏閣識別情報に対応させて前記祈願内容及び祈願者情報を前記記憶手段に書き込むとともに、選択された神社仏閣へ通知する祈願情報登録手段とを備える、ことを特徴とする祈願システムである。
【００１８】
また、請求項１３の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願方法であって、御守りを購入した祈願者に関する情報である祈願者情報及び祈願内容を記憶する記憶手段を用意し、祈願者が購入した御守りに備えられた記憶手段から該御守りを識別する御守り識別情報及び該御守りの属する神社仏閣を識別する神社仏閣識別情報を読み取り、前記祈願者の入力した祈願者情報及び祈願内容を、読み取った前記御守り識別情報及び神社仏閣識別情報に対応させて前記記憶手段に書き込むとともに、神社仏閣識別情報で示される神社仏閣に通知する、ことを特徴とする祈願方法である。
【００１９】
また、請求項１４の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願方法であって、御守りを購入した祈願者に関する情報である祈願者情報及び祈願内容を記憶する記憶手段を用意し、祈願者が購入した御守りに備えられた記憶手段から該御守りを識別する御守り識別情報を読み取り、祈願者の入力した祈願内容に応じた神社仏閣のリストを出力し、前記祈願者の入力した該祈願者に関する情報である祈願者情報及び前記祈願内容を、前記御守り識別情報及び出力した前記リストの中から前記祈願者が選択した神社仏閣を識別する神社仏閣識別情報に対応させて前記記憶手段に書き込むとともに、選択された神社仏閣へ通知する、ことを特徴とする祈願方法である。
【００２０】
また、請求項１５の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願サーバであって、御守りを購入した祈願者に関する情報である祈願者情報及び祈願内容を記憶する記憶手段と、前記祈願者の入力した祈願者情報及び祈願内容と、祈願者が購入した御守りに備えられた記憶手段から読み取った御守り識別情報及び神社仏閣識別情報とを前記祈願端末から受信し、該祈願者情報及び祈願内容を該御守り識別情報及び神社仏閣識別情報に対応させて前記記憶手段に書き込むとともに、神社仏閣識別情報で示される神社仏閣に通知する祈願情報登録手段と、を備えることを特徴とする祈願サーバである。
【００２１】
また、請求項１６の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願サーバであって、御守りを購入した祈願者に関する情報である祈願者情報及び祈願内容を記憶する記憶手段と、前記祈願端末から祈願者の入力した祈願内容及び祈願者が購入した御守りに備えられた記憶手段から読み取った御守り識別情報を受信し、該祈願内容に応じた神社仏閣のリストを出力する神社仏閣情報取得手段と、前記祈願端末から前記祈願者が入力した祈願者情報及び前記リストの中から選択した神社仏閣の情報を受信し、前記御守り識別情報及び選択された神社仏閣を識別する神社仏閣識別情報に対応させて前記祈願内容及び祈願者情報を前記記憶手段に書き込むとともに、選択された神社仏閣へ通知する祈願情報登録手段と、を備えることを特徴とする祈願サーバである。
【００２２】
また、請求項１７の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願端末であって、祈願者が購入した御守りに備えられた記憶手段から該御守りを識別する御守り識別情報及び該御守りの属する神社仏閣を識別する神社仏閣識別情報を読み取る読取手段と、前記祈願者の入力した該祈願者に関する情報である祈願者情報及び祈願内容を、前記読取手段が読み取った御守り識別情報及び神社仏閣識別情報とともに前記祈願サーバに通知する処理手段と、を備えることを特徴とする祈願端末である。
【００２３】
また、請求項１８の発明は、御守りを購入した祈願者の情報を管理する祈願サーバと、前記祈願サーバへ祈願者及び該祈願者が購入した御守りに関する情報を通知する祈願端末とをネットワークを介して接続してなる祈願システムに用いられる祈願端末であって、祈願者が購入した御守りに備えられた記憶手段から該御守りを識別する御守り識別情報を読み取る読取手段と、前記祈願者の入力した祈願内容及び前記読取手段が読み取った御守り識別情報を前記祈願サーバへ通知するとともに、前記祈願サーバから受信した該祈願内容に応じた神社仏閣のリストを出力し、該祈願者がこのリストの中から選択した神社仏閣の情報と、祈願者が入力した該祈願者に関する情報である祈願者情報を前記祈願サーバへ通知する処理手段と、を備えることを特徴とする祈願端末である。
【発明の効果】
【００２４】
請求項１、１１、１３、１５及び１７の発明によれば、祈願者は、遠方にある神社仏閣の御守りや御札を迅速に入手することができ、また、神社仏閣に御祈祷や神札の授与を依頼することができる。
請求項２、１２、１４、１６及び１８の発明によれば、祈願者が所望の祈願を行っている神社仏閣がわからない場合でも、祈願内容に応じた神社仏閣を選択することができ、選択した神社仏閣へ出向くことなく迅速に御守りや御札を入手し、さらに、御祈祷や神札の授与を依頼することができる。また、神社仏閣を紹介することができるため、新規の寄進者等のお得意の家の掘り起こしの効果が期待できる。
請求項３の発明によれば、祈願者は、神社仏閣が行った御祈祷や神札の授与を確認することができる。
請求項４の発明によれば、祈願者は、祈願した神社仏閣のおみくじを購入することができる。
請求項５の発明によれば、おみくじを購入した祈願者へ所在地の近くの神社仏閣へ参拝するように促すことができる。
請求項６の発明によれば、祈願者は、お賽銭を献納したり、寄付をして、遠方にある神社仏閣への祈願を行うことができる。
請求項７の発明によれば、祈願者情報及び祈願情報は、御守りには印刷されないため、その内容の機密性を保持できる。
請求項８の発明によれば、祈願者は、御守りの購入先となる神社仏閣や、参拝したい神社仏閣の情報を知ることができる。
請求項９の発明によれば、店舗において、非接触ＩＣチップにより販売する御守りの在庫管理ができる。
請求項１０の発明によれば、祈願者は、常に御守りを携帯したいなど、所望の型の御守りを購入することができる。
【発明を実施するための最良の形態】
【００２５】
以下、図面を参照して本発明の実施の形態について説明する。
図１は、本発明の一実施の形態による祈願システムの構成を示している。
祈願システムは、祈願サーバ４０と、店舗Ａ〜Ｎ（以下、単に「店舗」と記載）に設置された祈願端末３０と、神社仏閣ａ〜ｎ（以下、単に「神社仏閣」と記載）に設置された神社仏閣サーバ５０とを専用線やＶＰＮ（virtual private network）などの私設網あるいはインターネットなどの公衆網であるネットワーク６０を介して接続してなる。
店舗は、空港、港湾、道路パーキングエリア、駅、コンビニエンスストア、競技場施設、遊技場施設等の指定された店舗であり、特定の契約された神社仏閣で予め御祓いされた御守りや御札である御守り１０を販売する。
【００２６】
図２は、祈願システムにおける祈願手順の概要を示す図である。
まず、神社仏閣は、御祓いを施した御守りや御札である御守り１０を店舗へ供給する（ステップＳ１１０）。この御守り１０には、それぞれの御守り１０を識別するための御守りＩＤ（御守り識別情報）を記憶したＩＣチップ２０が内蔵される。そして、店舗において、この御守り１０が祈願者へ販売される（ステップＳ１２０）。これにより、店舗から神社仏閣へ初穂料が支払われる（ステップＳ１２５）。
【００２７】
御守り１０を購入した祈願者は、店舗の祈願端末３０から、祈願者に関する情報である祈願者情報や祈願内容を祈願サーバ４０へ登録する（ステップＳ１３０）。登録された祈願者情報や祈願内容は、神社仏閣の神社仏閣サーバ５０へ通知される（ステップＳ１３５）。後日、神社仏閣では、通知された祈願者情報や祈願内容に基づき、祈祷・神札の授与を行い、その結果を通知する（ステップＳ１４０）。祈願者は、店舗の祈願端末３０において、祈祷・神札の授与が行われたことを確認する（ステップＳ１４５）。
また、祈願者は、店舗の祈願端末３０から、御守り１０の提供元の神社仏閣への参拝や、おみくじの購入を行う。このときの参拝料や御寄付、おみくじの代金は、神社仏閣へ献納される（ステップＳ１５０〜ステップＳ１６５）。
【００２８】
そして、大願成就したあるいは１年などの所定の期間が過ぎた場合、祈願者は店舗に設置されたリサイクルボックスに御守り１０を納める（ステップＳ１７０）。納められた御守り１０は、ＩＣチップ２０が取り外され、神社仏閣へと納められる（ステップＳ１７５）。
【００２９】
御守り１０は、神社仏閣の御守りや御札、破魔矢、祈願票などであり、特定の契約された神社仏閣の名前や祈願内容に関連する情報、御神仏等が印刷され、ＩＣチップ２０（記憶手段）が内蔵されている。御守り１０の形状は、通常の御守りや御札の形状のほか、携帯電話のストラップ型、据付型、携帯型、付属型のものであってもよい。
祈願内容に関連する情報としては、例えば、「家内安全」、「開運招福」、「交通安全」などである。また、優勝祈願であれば、特定の学校名、及び、選抜ＸＸ高校野球大会、全国ＺＺサッカー選手権大会、全国○○大会などの大会名、あるいは、プロ野球の球団名やプロサッカーチームなどのチーム名、及び、プロ野球、プロサッカーリーグなどの大会のカテゴリ等である。
【００３０】
ＩＣチップ２０は、例えば、ＲＦＩＤ（Radio Frequency Identification）タグなど非接触ＩＣチップである。ＩＣチップ２０には、予め個々の御守り１０を識別する御守りＩＤが記憶されている。そして、御守り１０が購入された場合、祈願端末３０により、祈願内容と神社仏閣を識別する神社仏閣ＩＤ（神社仏閣識別情報）が書き込まれる。なお、予め御守り１０の御祓いを施した神社仏閣の神社仏閣ＩＤが記憶されていてもよい。
主として無線周波数を通信に利用するＲＦＩＤタグは、データの記録用のメモリと、データの処理回路と、データを無線周波数で搬送するためのアンテナとを備え、樹脂製や紙製の容器に入れられたもの、全体を樹脂封止されたものや、樹脂や紙からなるシートに挟持したラベルなど、多様な形状に製作されたものである。ＲＦＩＤタグの電源は、外部からデータの搬送波として利用する電磁波から必要な電力を取り出すか、ＲＦＩＤタグに内蔵する電池に依存する。カードやラベルの形状の場合、その表面には、文字や写真、絵柄などの目視情報、バーコードや二次元バーコード等の可視光、赤外線などにより読み取り可能な光学情報、ＭＩＣＲ（Magnetic Ink Character Reader）文字や磁気ストライプ、磁気バーコードなどの磁気情報を設けてもよい。なお、電磁波以外で商品に貼付された商品情報を読み取る場合は、それぞれの読み取り方式に該当する読取装置を設ける必要がある。
【００３１】
図３及び図４は、それぞれ、携帯電話のストラップ型の御守り１０の例である御守り１０ａと御守り１０ｂの形状を示す。図３に示す御守り１０ａには、神社仏閣の名称「ＸＸ神社」、及び、祈願内容に関連する情報「電子開運御守」が印刷されており、図４に示す御守り１０ｂには、神社仏閣の名称「Ｖ神社」、祈願内容に関連する情報として優勝祈願の学校名「○○高校必勝御守」、及び、大会名「△△高校野球大会」が印刷されている。これら御守り１０には、種々のキャラクタ等のデザインをあしらったもの等もある。
【００３２】
図５は、一実施の形態による祈願端末３０の構成を示すブロック図であり、本発明と関係する機能ブロックのみ抽出して示してある。
祈願端末３０は、制御手段３１、通信手段３２、リーダライタ（以下、「Ｒ／Ｗ」）３３、処理手段３４、表示手段３５、音声出力手段３６、入力手段３７、貨幣投入手段３８、及び、印刷手段３９を備える。なお、端末の構成によっては、貨幣投入手段３８を備えないこともある。
【００３３】
制御手段３１は、ＣＰＵ（central processing unit）及び各種メモリから構成され、各部の制御や、データの一時的な格納や、データの転送等を行う。
通信手段３２は、専用線やブロードバンド回線などによりネットワーク６０と接続され、祈願サーバ４０との間のデータの送受信を行う。
Ｒ／Ｗ３３（読取手段）は、御守り１０に内蔵されるＩＣチップ２０内の情報の読み取り及び書込みを行う機能を有し、具体的には、ＲＦＩＤリーダ／ライタである。
表示手段３５は、ＬＣＤ（Liquid Crystal Display）やＣＲＴ（cathode ray tube）などのディスプレイであり、画像を表示する。
音声出力手段３６は、スピーカーなどであり、音声を出力する。
入力手段３７は、ボタンやキー、タッチパネルであり、祈願者や店舗の店員などの操作者が入力した情報を取得する。
貨幣投入手段３８は、祈願者からの硬貨、紙幣などの投入を受ける。
印刷手段３９は、紙やリライトカードなどへの印刷を行う。なお、リライトカードとは、表示と消去を繰り返して行うことのできる表示層が備えられたカードである。表示層には、可逆性感熱発色素材が塗布された感熱方式によるもの、あるいは、磁気により、着色した液体と磁気粉を充填した微小なカプセル内の磁気粉を回転させて表示と消去を行う磁気方式によるものなどがある。
処理手段３４は、Ｒ／Ｗ３３、入力手段３７、または、通信手段３２を介して受けた情報に応じて、表示手段３５、印刷手段３９、音声出力手段３６への出力の指示や、祈願サーバ４０への情報の送信を行う。
【００３４】
図６は、一実施の形態による祈願サーバ４０の構成を示すブロック図であり、本発明と関係する機能ブロックのみ抽出して示してある。
祈願サーバ４０は、制御手段４１、通信手段４２、記憶手段４３、及び、処理手段４４を備える。
制御手段４１は、ＣＰＵ及び各種メモリから構成され、各部の制御や、データの一時的な格納や、データの転送等を行う。
通信手段４２は、専用線やブロードバンド回線などによりネットワーク６０と接続され、祈願端末３０及び神社仏閣サーバ５０との間のデータの送受信を行う。
【００３５】
記憶手段４３は、御守り管理情報、神社仏閣情報、祈願情報、祈祷情報、アドバイス情報、及び、献納情報を記憶する。
御守り管理情報は、販売対象の御守り１０の御守りＩＤと、この御守りＩＤで識別される御守り１０の販売日時の情報からならなる。
神社仏閣情報は、各神社仏閣の神社仏閣ＩＤ、実施している祈願内容の情報、名称、連絡先情報、映像情報、アクセス情報、アピール情報などからなる。連絡先情報は、神社仏閣の住所や電話番号、ＦＡＸ番号、電子メールアドレスを示す。映像情報は、神社仏閣の外観や境内、ご本尊、ご神体の象徴、周辺の様子などの画像情報及び音声情報からなる。アクセス情報は、神社仏閣の所在地周辺の地図や行き方などを示す。アピール情報は、神社仏閣の由来、特徴、近況、イベントなどの情報からなる。
祈願情報は、御守りＩＤ、神社仏閣ＩＤ、祈願内容、祈願者情報、おみくじ購入履歴、参拝履歴、ポイント、大願成就報告の有無などの情報からなる。祈願者情報は、御守り１０を購入した祈願者の氏名、パスワード、生年月日、性別、住所、電子メールアドレス、携帯メールアドレス、祈祷・神札授与確認通知の希望の有無及び通知先、定期的なおみくじ配信の希望の有無及び配信先、受験学校、受験番号などの情報からなる。また、ポイントは、おみくじ購入や参拝の回数または献納した金額、大願成就の報告などに応じて与えられ、祈願者へ店舗などから特典やサービスを提供するために使用する。
祈祷情報は、御守りＩＤ毎の神社仏閣で行われた御祈祷の様子や神札授与の映像の情報である。
アドバイス情報は、おみくじに付加すべきアドバイスの内容を示す。
献納情報は、献納を行った祈願者が保有する御守りＩＤ毎の献納先の神社仏閣の神社仏閣ＩＤ及び献納された金額を示す。
【００３６】
処理手段４４は、神社仏閣情報登録手段４４０、祈願情報取得手段４４１、神社仏閣情報取得手段４４２、祈願情報登録手段４４３、祈祷情報登録手段４４４、祈祷情報取得手段４４５、おみくじ情報取得手段４４６、アドバイス情報取得手段４４７、配信手段４４８、及び、献納情報登録手段４４９からなる。
神社仏閣情報登録手段４４０は、神社仏閣サーバ５０から受信した神社仏閣情報を記憶手段４３内に書き込む。
祈願情報取得手段４４１は、記憶手段４３内の祈願情報を読み出す。
神社仏閣情報取得手段４４２は、記憶手段４３内から祈願者が指定した神社仏閣の神社仏閣情報を読み出す。また、祈願者が指定した祈願内容に応じた神社仏閣情報を選択し、そのリストを祈願端末３０へ返送する。
祈願情報登録手段４４３は、祈願情報を記憶手段４３内に書き込む。
祈祷情報登録手段４４４は、神社仏閣サーバ５０から受信した祈祷情報を記憶手段４３内に書き込む。
祈祷情報取得手段４４５は、記憶手段４３内の祈祷情報を読み出す。
おみくじ情報取得手段４４６は、神社仏閣サーバ５０へおみくじ情報を要求する。
アドバイス情報取得手段４４７は、神社仏閣サーバ５０から受信したおみくじ情報に付加すべきアドバイス情報を記憶手段４３から読み出す。
配信手段４４８は、神社仏閣サーバ５０から受信したおみくじ情報及びアドバイス情報取得手段４４７が取得したアドバイス情報を、祈願端末３０または祈願者が指定したアドレスへ送信する。
献納情報登録手段４４９は、献納情報を記憶手段４３内に書き込むとともに、神社仏閣サーバ５０へ通知する。
【００３７】
図７は、一実施の形態による神社仏閣サーバ５０の構成を示すブロック図であり、本発明と関係する機能ブロックのみ抽出して示してある。
神社仏閣サーバ５０は、制御手段５１、通信手段５２、記憶手段５３、処理手段５４、印刷手段５５及び表示手段５６を備える。
制御手段５１は、ＣＰＵ及び各種メモリから構成され、各部の制御や、データの一時的な格納や、データの転送等を行う。
通信手段５２は、専用線やブロードバンド回線などによりネットワーク６０と接続され、祈願サーバ４０との間のデータの送受信を行う。
記憶手段５３は、祈願情報、献納情報、及び、おみくじ情報を記憶する。
おみくじ情報は、「大吉」、「中吉」、「小吉」、「吉」、「凶」、「大凶」などの吉凶情報と、お告げ・占いの内容などを示す情報からなる。
印刷手段５５は、プリンタなどであり、紙への印刷を行う。
表示手段５６は、ＬＣＤやＣＲＴなどのディスプレイであり、画像を表示する。
【００３８】
処理手段５４は、神社仏閣情報通知手段５４１、祈願情報受信手段５４２、祈祷情報通知手段５４３、おみくじ情報選択手段５４４、及び、献納情報受信手段５４５からなる。
神社仏閣情報通知手段５４１は、祈願サーバ４０へ神社仏閣情報を送信する。
祈願情報受信手段５４２は、祈願サーバ４０から祈願情報を受信し、記憶手段５３内に書き込むとともに、印刷手段５５あるいは表示手段５６への出力を指示する。
祈祷情報通知手段５４３は、祈願サーバ４０へ祈祷情報を送信する。
おみくじ情報選択手段５４４は、記憶手段５３からおみくじ情報を取得して祈願サーバ４０へ返送する。
献納情報受信手段５４５は、祈願サーバ４０から受信した献納情報を記憶手段５３内に書き込む。
【００３９】
次に、祈願システムの動作について説明する。
まず、神社仏閣で御祈祷が施された御守り１０を店舗で販売する前に、この御守り１０に内蔵されたＩＣチップ２０に記憶されている御守りＩＤを、祈願サーバ４０の記憶手段４３内の御守り管理情報に登録する。
また、各神社仏閣は、常に最新の神社仏閣情報を祈願サーバ４０に登録しておく。例えば、神社仏閣サーバ５０の神社仏閣情報通知手段５４１は、祈願サーバ４０に定期的に最新の神社仏閣情報を送信する。祈願サーバ４０の神社仏閣情報登録手段４４０は、神社仏閣サーバ５０から受信した神社仏閣情報を記憶手段４３内に書き込む。あるいは、祈願サーバ４０の神社仏閣情報登録手段４４０が、神社仏閣サーバ５０へ最新の神社仏閣情報の登録を促す電子メールを送信する。神社仏閣は、神社仏閣サーバ５０からこの電子メールに対して、所定の記述形式により記述された、あるいは、ファイルとして添付された神社仏閣情報を含む電子メールを返信する。祈願サーバ４０の神社仏閣情報登録手段４４０は、返信された電子メールから神社仏閣情報を取得して記憶手段４３に書き込む。これにより、例えば、アピール情報で、「境内の池にカルガモ子育て中」、「つつじが見頃」、「アジサイが見頃」、「藤棚から仄かな香り」、「ゆりの香り」など近況を提供する。
さらに、神社仏閣は、神社仏閣サーバ５０の記憶手段５３内のおみくじ情報、あるいは、おみくじ情報選択手段５４４におけるおみくじ情報の選択方法を、世界情勢や景気などに対応し、必要に応じて更新する。
【００４０】
図８は、同実施の形態による御守り・御札購入の動作フローを示す図である。
まず、祈願者は、店舗において、御守り１０を購入する。祈願者が、購入した御守り１０を祈願端末３０のＲ／Ｗ３３へかざすと、御守り１０に内蔵されたＩＣチップ２０の御守りＩＤが読み込まれる（ステップＳ２１０）。祈願端末３０の処理手段３４は、Ｒ／Ｗ３３が読み込んだ御守りＩＤを祈願サーバ４０へ通知する（ステップＳ２１５）。
祈願サーバ４０の祈願情報取得手段４４１は、記憶手段４３内を検索し、受信した御守りＩＤが、御守り管理情報に登録されていることを確認する。さらに、祈願情報取得手段４４１は、この御守りＩＤにより祈願情報を検索し、まだ祈願情報が登録されていないことを認識する（ステップＳ２２０）。すると、祈願情報取得手段４４１は、祈願情報が未登録である旨を祈願端末３０へ通知する（ステップＳ２２５）。
【００４１】
祈願端末３０の処理手段３４は、祈願サーバ４０から祈願情報が未登録である旨の通知を受けると、表示手段３５や音声出力手段３６から文字（画像）や音声のメッセージを出力させ、祈願者へ祈願内容の登録を促す。祈願者が、祈願内容を入力手段３７により入力すると（ステップＳ２３０）、祈願サーバ４０へ通知される（ステップＳ２３５）。
祈願サーバ４０の神社仏閣情報取得手段４４２は、受信した祈願内容により、記憶手段４３を検索し、対応する祈願を行っている神社仏閣の神社仏閣情報を読み出す（ステップＳ２４０）。そして、この読み出した神社仏閣情報を基に生成した、神社仏閣ＩＤ及び神社仏閣の名称からなる神社仏閣リストを祈願端末３０へ送信する（ステップＳ２４５）。
【００４２】
祈願端末３０の処理手段３４は、受信した神社仏閣リストを基に、神社仏閣の名称の一覧を表示手段３５へ表示する。祈願者は、必要に応じて、入力手段３７により、この一覧の中から詳細な情報を知りたい神社仏閣を選択する。祈願端末３０は、情報の要求があった神社仏閣の神社仏閣ＩＤを祈願サーバ４０に通知する。祈願サーバ４０の神社仏閣情報取得手段４４２は、受信した神社仏閣ＩＤに対応する神社仏閣情報を祈願端末３０に返送し、祈願端末３０は、受信した神社仏閣情報を表示手段３５や音声出力手段３６などから画像や音声により出力する。そして、祈願者が祈祷や神札の授与を依頼したい神社仏閣を決定すると、入力手段３７により、リストの中から決定した神社仏閣を指定する（ステップＳ２５０）。祈願端末３０の処理手段３４は、選択された神社仏閣の神社仏閣ＩＤを祈願サーバ４０へ通知する（ステップＳ２５５）。
【００４３】
さらに、祈願端末３０の処理手段３４は、表示手段３５や音声出力手段３６から文字（画像）や音声のメッセージを出力させ、祈願者へ祈願者情報の登録を促す。祈願者が、祈願者情報を入力手段３７により入力すると（ステップＳ２６０）、入力された情報が祈願サーバ４０へ通知される（ステップＳ２６５）。
【００４４】
祈願サーバ４０の祈願情報登録手段４４３は、ステップＳ２１５において受信した御守りＩＤ、ステップＳ２３５において受信した祈願内容、ステップＳ２５５において受信した神社仏閣ＩＤ、及び、ステップＳ２６５において受信した祈願者情報からなる祈願情報を記憶手段４３内に書き込む（ステップＳ２７０）。さらに、御守り管理情報に販売日時の情報を書き込む。そして、記憶手段４３に書き込んだ祈願情報を神社仏閣サーバ５０へ通知する（ステップＳ２７５）。神社仏閣サーバ５０の祈願情報受信手段５４２は、受信した祈願情報を記憶手段５３内に書き込み、さらに、印刷あるいは画面への出力を行う（ステップＳ２８０）。
さらに、祈願サーバ４０の祈願情報登録手段４４３は、祈願端末３０へ御守り１０に内蔵されたＩＣチップ２０へ神社仏閣ＩＤ及び祈願内容の書き込みを指示する（ステップＳ２８５）。祈願端末３０の処理手段３４は、Ｒ／Ｗ３３により、御守り１０内のＩＣチップ２０へ神社仏閣ＩＤ及び祈願内容を書き込む（ステップＳ２９０）。なお、このとき、神社仏閣の名称や祈願内容の一部などを御守り１０の外観に書き込んでもよい。
【００４５】
なお、販売時にすでに神社仏閣ＩＤがＩＣチップ２０に書き込まれている御守り１０の場合、ステップＳ２１５あるいはステップＳ２３５において、ＩＣチップ２０内の神社仏閣ＩＤも祈願端末３０から祈願サーバ４０へ通知される。この場合、祈願内容から祈祷あるいは神札の授与を依頼する神社仏閣を選択するステップＳ２４０〜ステップＳ２５５までの処理は行わない。これは、例えば、祈願内容が合格祈願である場合、祈願者が予め合格祈願を行っている神社仏閣を知っており、その特定の神社仏閣が祈祷を施した御守り１０を購入する場合などが想定される。
【００４６】
図９は、同実施の形態による祈祷・神札授与の確認の動作フローを示す。
神社仏閣は、図８のステップＳ２８０において出力された祈願情報に従い、祈祷あるいは神札の授与を行う。そして、神社仏閣サーバ５０の祈祷情報通知手段５４３は、この祈祷の様子や神札授与の映像の情報と、御守りＩＤとからなる祈祷情報を祈願サーバ４０へ送信する（ステップＳ３１０）。祈願サーバ４０の祈祷情報登録手段４４４は、受信した祈祷情報を記憶手段４３へ書き込む（ステップＳ３１５）。
なお、祈願者が、図８のステップＳ２６０において、携帯電話のメールや電子メールへの送信、あるいは、ハガキによる通知を希望した場合、祈祷や神札授与を行った旨の通知、あるいは、祈祷の様子や神札の映像または画像を指定先へ送付する。
【００４７】
祈願者は、御守り１０の購入から数日後、祈祷・神札授与の確認を行う。祈願者は、店舗に出向き、御守り１０を祈願端末３０のＲ／Ｗ３３へかざす（ステップＳ３２０）。祈願端末３０の処理手段３４は、Ｒ／Ｗ３３が読み込んだ御守りＩＤを祈願サーバ４０へ通知する（ステップＳ３２５）。祈願サーバ４０の祈願情報取得手段４４１は、記憶手段４３内を検索し、受信した御守りＩＤに対応する御守り管理情報が登録されており、購買日時から１年などの所定の期間内であることを確認する。さらに、この御守りＩＤにより祈願情報を検索し（ステップＳ３３０）、読み出した祈願情報を祈願端末３０へ通知する（ステップＳ３３５）。
【００４８】
祈願端末３０の処理手段３４は、表示手段３５へ祈願サーバ４０から受信した祈願情報を表示する（ステップＳ３４０）。なお、祈願情報内にパスワードがある場合、祈願端末３０は、祈願者からパスワードの入力を受け、認証した場合に祈願情報の表示を行う。祈願者は、祈願情報を確認すると、祈祷・神札授与の確認を要求する旨を祈願端末３０の入力手段３７から入力する（ステップＳ３４５）。すると、祈願端末３０の処理手段３４は、祈祷・神札授与の確認要求を祈願サーバ４０へ送信する（ステップＳ３５０）。祈願サーバ４０の祈祷情報取得手段４４５は、ステップＳ３２５において受信した御守りＩＤに対応する祈祷情報を記憶手段４３から読み出し（ステップＳ３５５）、祈願端末３０へ返送する（ステップＳ３６０）。祈願端末３０の処理手段３４は、受信した祈祷情報の出力を表示手段３５及び音声出力手段３６に指示する。祈願者は、画像及び音声により、祈祷や、神札の授与などの様子を確認する（ステップＳ３６５）。
【００４９】
図１０は、同実施の形態によるおみくじ購入の動作フローを示す。
祈願者は、御守り購入後、店舗においておみくじを購入する。祈願者が、祈願端末３０のＲ／Ｗ３３へかざしてから、祈願情報が出力されるまでのステップＳ４１０〜ステップＳ４３０までの動作は、図９におけるステップＳ３２０〜ステップＳ３４０までの動作と同様である。
祈願者は、祈願情報を確認すると、おみくじの購入を行う旨を祈願端末３０の入力手段３７から入力する（ステップＳ４３５）。そして、祈願者が祈願端末３０の貨幣投入手段３８へ貨幣を投入すると（ステップＳ４４０）、処理手段３４は、祈願サーバ４０へおみくじを要求する（ステップＳ４４５）。祈願サーバ４０の祈願情報登録手段４４３は、ステップＳ４１５で受信した御守りＩＤに対応した記憶手段４３内の祈願情報のおみくじ購入履歴に購入日時を書き込むなどして更新し、さらに、現在のポイントにおみくじ購入に応じた所定のポイントを加算する（ステップＳ４５０）。おみくじ情報取得手段４４６は、更新された祈願情報を、当該祈願情報内の神社仏閣ＩＤに対応する神社仏閣の神社仏閣サーバ５０へ送信し、おみくじを要求する（ステップＳ４５５）。
【００５０】
神社仏閣サーバ５０の祈願情報受信手段５４２は、受信した祈願情報により、記憶手段５３内の祈願情報を更新する。さらに、おみくじ情報選択手段５４４は、祈願情報内の氏名、生年月日、おみくじ購入履歴、参拝履歴、ポイントなどの情報や、現在の日時などの情報を用いた所定の選択論理に従って、記憶手段５３内のおみくじ情報を選択し、読み出す（ステップＳ４６０）。そして、読み出したおみくじ情報を、祈願サーバ４０へ返送する（ステップＳ４６５）。
【００５１】
祈願サーバ４０が、神社仏閣サーバ５０からおみくじ情報を受信すると、アドバイス情報取得手段４４７は、祈願情報内の氏名、生年月日、おみくじ購入履歴、参拝履歴、ポイントなどの情報や、現在の日時などの情報、受信したおみくじ情報、おみくじ要求を送信した祈願端末３０に関する情報などを用いた所定の選択論理に従って、記憶手段４３内のアドバイス情報を選択する（ステップＳ４７０）。例えば、おみくじ要求を送信した祈願端末３０が設置されている近所にｘｘ神社があり、おみくじ情報内の吉凶情報が「凶」である場合には「ｘｘ神社へ参拝すると貴方の気持ちが＜凶＞から＜吉＞に変わるかもよ！」、「小吉」である場合には「ｘｘ神社で小物を買うと運勢が＜小吉＞から＜大吉＞に変わるかもしれない」などのアドバイス情報を選択する。祈願サーバ４０の配信手段４４８は、ステップＳ４６５において受信したおみくじ情報及びステップＳ４７０において選択されたアドバイス情報を祈願端末３０へ送信する（ステップＳ４７５）。
【００５２】
祈願端末３０の処理手段３４は、祈願サーバ４０から受信したおみくじ情報及びアドバイス情報の出力を表示手段３５及び音声出力手段３６に指示し、さらに、印刷手段３９へ印刷を指示する（ステップＳ４８０）。これにより、祈願者は、おみくじ情報及びアドバイス情報を得ることができる。祈願者は、必要に応じて、祈願端末３０の入力手段３７により、アドバイス情報で指定された神社仏閣の情報を要求する。祈願端末３０は、祈願サーバ４０から、アドバイス情報で指定された神社仏閣の神社仏閣情報を読み出し、表示手段３５や音声出力手段３６などから画像や音声により出力する。また、祈願者の操作により、神社仏閣情報を印刷手段３９から印刷する。
【００５３】
なお、祈願者が、図８のステップＳ２６０において、定期的なおみくじの配信を希望した場合、祈願サーバ４０のおみくじ情報取得手段４４６は、１日１回などの所定の時間毎、あるいは、祈願者の希望する時間毎に、当該祈願者の購入した御守り１０に対応する祈願情報を読み出す。そして、読み出した祈願情報内の神社仏閣ＩＤで示される神社仏閣の神社仏閣サーバ５０へ、当該祈願情報の御守りＩＤを通知し、おみくじを要求する。神社仏閣サーバ５０は、受信した御守りＩＤで示される祈願情報を記憶手段５３から読出し、ステップＳ４６０と同様におみくじ情報を選択して祈願サーバ４０へ返送する。祈願サーバ４０は、ステップＳ４７０と同様にアドバイス情報を選択し、配信手段４４８は、祈願情報内の祈願者情報で指定されたおみくじ配信先に、このおみくじ情報及びアドバイス情報を送信する。
【００５４】
なお、神社仏閣サーバ５０のおみくじ情報選択手段５４４を祈願サーバ４０に備え、さらには、神社仏閣サーバ５０の記憶手段４３内のおみくじ情報を祈願サーバ４０の記憶手段４３に記憶することで、祈願サーバ４０がおみくじ情報を選択する構成としてもよい。
【００５５】
図１１は、同実施の形態による神社仏閣の参拝の動作フローを示す。
祈願者は、御守り購入後、店舗において神社仏閣への参拝を行う。祈願者が、祈願端末３０のＲ／Ｗ３３へかざしてから、登録データが出力されるまでのステップＳ５１０〜ステップＳ５３０までの動作は、図９におけるステップＳ３２０〜ステップＳ３４０までの動作と同様である。
祈願者は、祈願情報を確認すると、神社仏閣の参拝を行う旨を祈願端末３０の入力手段３７から入力する（ステップＳ５３５）。続いて、祈願者は、入力手段３７へお賽銭や寄付の金額を入力し、貨幣投入手段３８へその金額の貨幣を投入する（ステップＳ５４０）。祈願端末３０の処理手段３４は、お賽銭や寄付の金額の情報を祈願サーバ４０へ送信し、献納が行われたことを通知する（ステップＳ５４５）。祈願サーバ４０の祈願情報登録手段４４３は、記憶手段４３内の祈願情報の参拝履歴に参拝日時を書き込むなどして更新し、さらに、現在のポイントに金額あるいは参拝回数に応じたポイントを加算する。さらに、献納情報登録手段４４９は、ステップＳ５１５で通知された御守りＩＤ、祈願情報で示される神社仏閣ＩＤ、及び、受信した金額の情報からなる献納情報を記憶手段４３へ書き込むとともに（ステップＳ５５０）、この献納情報を神社仏閣サーバ５０へ通知する（ステップＳ５５５）。神社仏閣サーバ５０の献納情報受信手段５４５は、受信した献納情報を記憶手段５３へ書き込む（ステップＳ５６０）。
後日、この献納情報及びおみくじ購入に応じた金額が、店舗から神社仏閣へ支払われる。
【００５６】
また、祈願情報内の祈願者情報のうち所定のデータを後から祈願端末３０を介して登録・変更することができる。具体的には、図９のステップＳ３２０〜ステップＳ３４０までと同様の動作により、祈願端末３０に祈願情報が表示される。祈願者が、変更したいデータを入力手段３７から入力すると、祈願サーバ４０へ通知される。祈願サーバ４０の祈願情報登録手段４４３は、変更データを記憶手段４３内の祈願情報に書き込み、更新する。さらに、この更新された祈願情報は、神社仏閣サーバ５０へ送信され、記憶手段５３内に書き込まれる。
【００５７】
また、図９のステップＳ３３０や、図１０のステップＳ４２０、図１１のステップＳ５２０など、祈願端末３０から受信した御守りＩＤに対応する祈願情報を読み出したとき、祈願情報内の祈願内容が合格祈願であった場合、祈願サーバ４０は、祈願情報の祈願者情報内の受験学校で示される学校の合格発表のホームページへアクセスする。そして、祈願情報の祈願者情報内の受験番号により、合格発表のホームページ内を検索し、一致する受験番号があった場合には合格を、なかった場合には不合格を示す合否情報を祈願端末３０へ通知する。祈願端末３０は、合否情報に従い、表示手段３５に合否を表示する。このとき、合格であれば、音声出力手段３６から「合格おめでとう」の音声を流す。これにより、合格確認後来店する祈願者が増加し、店舗の集客率が上がる。
【００５８】
また、大願成就報告を行う場合、祈願者は店舗に出向き、大願成就した証明書（例えば、合格通知、賞状など）を店員に示す。すると、店員は、祈願端末３０へ自身のパスワードを入力するなどして、大願成就報告の登録が可能な状態にし、御守り１０を祈願端末３０のＲ／Ｗ３３へかざして大願成就報告を行う旨を入力する。祈願端末３０は、ＩＣチップ２０から読み込んだ御守りＩＤを祈願サーバ４０へ通知し、大願成就報告の登録を要求する。祈願サーバ４０の祈願情報登録手段４４３は、受信した御守りＩＤに対応する記憶手段４３内の祈願情報に大願成就報告有りを書き込み、さらに、現在のポイントに大願成就報告に応じた所定のポイントを加算する。
【００５９】
なお、祈願サーバ４０の記憶手段４３内の祈願情報から様々な統計情報への加工が可能であり、例えば、上記の大願成就報告の有無の情報により、ご利益がある神社仏閣のランキングなどが生成可能である。
また、祈願情報内のポイントを、店舗のポイント管理システムなどに通知することにより、店舗での買い物券、割引などの特典に利用することもできる。
なお、御守り管理情報で示される販売日時から所定の時間が経過した場合、有効期限が切れたとして、祈願サーバ４０は、おみくじ購入やおみくじ配信などの一部または全部のサービス提供を停止する。
【００６０】
次に、図１２を用いて、同実施の形態による祈願端末３０の画面遷移の例について説明する。
同図において、最初、祈願端末３０の表示手段３５は、祈願システムメニュー画面を表示している（ステップＳ８１０）。メニュー画面には、御守り購入、おみくじ購入、祈祷・神札授与確認、参拝、祈願者情報の変更などが行えることや、御守り１０をＲ／Ｗ３３へかざすよう指示するメッセージなどが表示されている。祈願者が御守り１０をＲ／Ｗ３３へかざし、ＩＣチップ２０内の御守りＩＤが読み込まれると、神社仏閣参拝画面が表示される（ステップＳ８１５）。神社仏閣参拝画面では、この御守り１０で行えるメニューが選択可能となる。すわなち、この御守り１０に対して祈願情報が未登録である場合には、御札・御守りの願い事など祈願内容の選択が可能な神社仏閣参拝画面となり、すでに祈願情報が登録されている場合には、おみくじ購入、祈祷・神札授与の確認、参拝、祈願者情報の変更が選択可能なメニュー画面となる。
【００６１】
祈願情報が未登録である場合、祈願端末３０は祈願者に祈願内容の一覧表示から希望する祈願内容を選択させるか、あるいは、祈願内容を任意に入力さる。さらに、その祈願内容に応じた神社仏閣の一覧から、希望する神社仏閣を選択させる。（ステップＳ８２０）。祈願内容及び希望する神社仏閣の神社仏閣ＩＤは、祈願サーバ４０へ通知される。
次に、祈願者は、画面の指示に従い、パスワードの必要の有無及びパスワードが必要な場合には、そのパスワードを入力する（ステップＳ８２５）。続いて、氏名、生年月日・性別を入力し（ステップＳ８３０、ステップＳ８３５）、住所、電子メールアドレス、祈祷情報の通知を希望する場合はその通知先を入力する（ステップＳ８４０）。さらに、毎日のおみくじ配信の要・不要及び、おみくじ配信を希望する場合は、その配信先の電子メールアドレスなどを入力する（ステップＳ８４５）。加えて、合格祈願であれば、受験学校及び受験番号を入力する（ステップＳ８５０）。
祈願端末３０は、ステップＳ８２０からステップＳ８５０において入力された祈願情報を表示すると、祈願者は内容を確認する（ステップＳ８５５）。祈願者が、この内容での登録を要求した場合、祈願サーバ４０へ祈願情報を登録し、さらに、ＩＣチップ２０へ神社仏閣ＩＤ及び祈願内容を書き込む（ステップＳ８６０）。
【００６２】
一方、祈願情報が登録済みである場合、祈願端末３０は、祈願サーバ４０に登録されている祈願情報を表示する。祈願情報内の祈願者情報にパスワードが含まれている場合には、祈願者にパスワードを入力させ、正当性を確認してから祈願情報の表示を行う（ステップＳ９１０）。続いて、祈願者は、実行したいメニューを選択する（ステップＳ９１５）。
【００６３】
祈願者が祈祷・神札授与確認を選択した場合、祈願端末３０は、祈願サーバ４０から祈祷情報を読み出して表示する（ステップＳ９２０）。
また、祈願者がおみくじ購入を選択した場合、お賽銭の投入を促すための賽銭箱画面を表示する（ステップＳ９３０）。賽銭が投入されると、祈願端末３０は、祈願サーバ４０へおみくじ要求を送信する。そして、返送されたおみくじ情報及びアドバイス情報の出力及び印刷を行う（ステップＳ９３５）。例えば、吉凶情報は大きな文字で、お告げ・占いの内容、アドバイス情報は小さな文字で表示する。
【００６４】
また、祈願者が参拝を選択した場合、祈願端末３０は、お賽銭あるいはご寄付の金額の入力を促すための賽銭箱画面を表示する（ステップＳ９４０）。お賽銭あるいはご寄付の金額が入力され、その金額が投入されると、祈願端末３０は、祈願サーバ４０から読み出した神社仏閣情報の映像を基に、お礼のメッセージを画像及び音声で出力する（ステップＳ９４５）。
【００６５】
また、祈願者が祈願情報内の祈願者情報のデータを変更するために祈願者情報変更を選択した場合、祈願端末３０は、変更可能な祈願者情報のデータのリストを表示し、選択させる（ステップＳ９５０）。祈願者が変更対象のデータを選択し、変更内容を入力すると、入力されたデータが祈願サーバ４０へ送信され、祈願情報内の祈願者情報が更新される（ステップＳ９５５）。
【００６６】
なお、ステップＳ９１０の登録データ表示や、ステップＳ９１５のメニュー選択、ステップＳ９３０及びステップＳ９４０の賽銭箱画面などにおいて、祈願端末３０は、祈願サーバ４０から御守り１０の提供元の神社仏閣の神社仏閣情報を読み出し、この神社仏閣の映像を表示してもよい。
【００６７】
なお、祈願端末３０からではなく、携帯電話やパーソナルコンピュータなどからネットワーク６０を介して祈願サーバ４０にアクセスし、祈祷・神札授与確認や祈願者情報変更を行ってもよい。この場合、祈願者は、御守りＩＤあるいは氏名、パスワードなどを祈願サーバ４０に送信することにより、自身の購買した御守り１０の祈願情報を特定する。さらに、技術環境の変化によっては、祈願端末３０の各手段と同等の機能を備えた携帯端末により、祈願端末３０と同様の手続きを実施してもよい。
【００６８】
なお、上述の祈願端末３０、祈願サーバ４０、及び、神社仏閣サーバ５０は、内部にコンピュータシステムを有している。そして、上述した祈願端末３０の処理手段３４、祈願サーバ４０の処理手段４４内の各手段、及び、神社仏閣サーバ５０の処理手段５４内の各手段の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００６９】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００７０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【産業上の利用可能性】
【００７１】
神社仏閣でのご祈祷が必要な物品の販売に利用することができる。
【図面の簡単な説明】
【００７２】
【図１】本発明の一実施の形態による祈願システムの構成を示す図である。
【図２】同実施の形態による祈願手順の概要を示す図である。
【図３】同実施の形態による御守りの形状を示す。
【図４】同実施の形態による御守りの形状を示す。
【図５】同実施の形態による祈願端末の構成を示すブロック図である。
【図６】同実施の形態による祈願サーバの構成を示すブロック図である。
【図７】同実施の形態による神社仏閣サーバの構成を示すブロック図である。
【図８】同実施の形態による御守り・御札購入の動作フローを示す図である。
【図９】同実施の形態による祈祷・神札授与の確認の動作フローを示す。
【図１０】同実施の形態によるおみくじ購入の動作フローを示す。
【図１１】同実施の形態による神社仏閣の参拝の動作フローを示す。
【図１２】同実施の形態による祈願端末の画面遷移を示す図である。
【符号の説明】
【００７３】
１０…御守り
２０…ＩＣチップ
３０…祈願端末
３１、４１、５１…制御手段
３２、４２、５２…通信手段
３３…Ｒ／Ｗ（リーダ／ライタ）
３４、４４、５４…処理手段
３５、５６…表示手段
３６…音声出力手段
３７…入力手段
３８…貨幣投入手段
３９、５５…印刷手段
４０…祈願サーバ
４３、５３…記憶手段
４４０…神社仏閣情報登録手段
４４１…祈願情報取得手段
４４２…神社仏閣情報取得手段
４４３…祈願情報登録手段
４４４…祈祷情報登録手段
４４５…祈祷情報取得手段
４４６…おみくじ情報取得手段
４４７…アドバイス情報取得手段
４４８…配信手段
４４９…献納情報登録手段
５０…神社仏閣サーバ
５４１…神社仏閣情報通知手段
５４２…祈願情報受信手段
５４３…祈祷情報通知手段
５４４…おみくじ情報選択手段
５４５…献納情報受信手段
６０…ネットワーク
【図１】
2005085097.tif 000003
【図２】
2005085097.tif 000004
【図３】
2005085097.tif 000005
【図４】
2005085097.tif 000006
【図５】
2005085097.tif 000007
【図６】
2005085097.tif 000008
【図７】
2005085097.tif 000009
【図８】
2005085097.tif 000010
【図９】
2005085097.tif 000011
【図１０】
2005085097.tif 000012
【図１１】
2005085097.tif 000013
【図１２】
2005085097.tif 000014